(57)【要約】    【課題】      電池残量が少ない場合に消費電流を少なくするとともに、送信データ量を減らさずに電池を長持ちさせること。    【解決手段】  電池残量検出部１０１は、電池の残量を検出する。送信方法判定部１０２は、電池の残量がしきい値未満になった場合にはＨＳＤＰＡからＨＳＤＰＡよりは多重するチャネル数が少ないＤＰＣＨにて送信する通信方式に変更して選択し、電池の残量がしきい値以上になった場合にはＤＰＣＨにて送信する通信方式からＨＳＤＰＡに変更して選択する。送信フレーム作成部１０３は、ＨＳＤＰＡを選択した場合にはＨＳ−ＤＰＣＣＨ、ＤＰＣＣＨ及びＤＰＤＣＨの送信フレームを作成し、ＤＰＣＨにて送信する通信方式を選択した場合にはＤＰＣＣＨ及びＤＰＤＣＨの送信フレームを作成する。拡散部１０５は、各チャネルの変調後の信号をコード多重する。  【選択図】      図１
2005341176.tif 000002
【特許請求の範囲】
【請求項１】
電池の残量を検出する電池残量検出手段と、
前記電池残量検出手段にて検出された前記残量に基づいて多重するチャネル数が異なる通信方式を選択する通信方式選択手段と、
前記通信方式選択手段にて選択された通信方式にて送信することを通信相手より許可された場合には前記通信方式選択手段にて選択された通信方式にて前記通信相手に送信信号を送信する送信手段と、
を具備することを特徴とする通信端末装置。
【請求項２】
前記通信方式選択手段は、前記残量がしきい値未満の場合には前記残量が前記しきい値以上の場合に比べて少ないチャネル数にて多重する通信方式を選択することを特徴とする請求項１記載の通信端末装置。
【請求項３】
電池の残量を検出する電池残量検出手段と、
前記電池残量検出手段にて検出された前記残量に基づいて最大送信電力を選択する最大送信電力選択手段と、
前記最大送信電力選択手段にて選択された最大送信電力以下の送信電力にて送信することを通信相手より許可された場合には前記最大送信電力選択手段にて選択された最大送信電力以下の送信電力にて前記通信相手に送信信号を送信する送信手段と、
を具備することを特徴とする通信端末装置。
【請求項４】
前記最大送信電力選択手段は、前記残量がしきい値未満の場合には前記残量が前記しきい値以上の場合に比べて前記最大送信電力を小さくすることを特徴とする請求項３記載の通信端末装置。
【請求項５】
電池の残量を検出する電池残量検出手段と、
前記電池残量検出手段にて検出された前記残量に基づいて送信頻度を設定する送信頻度設定手段と、
前記送信頻度設定手段にて設定された前記送信頻度にて送信することを通信相手より許可された場合には前記送信頻度設定手段にて設定された前記送信頻度にて前記通信相手に送信信号を送信する送信手段と、
を具備することを特徴とする通信端末装置。
【請求項６】
前記送信頻度設定手段は、前記残量がしきい値未満の場合には前記残量が前記しきい値以上の場合に比べて前記送信頻度を少なくすることを特徴とする請求項５記載の通信端末装置。
【請求項７】
前記送信頻度設定手段は、ＨＳ−ＤＰＣＣＨにて送信する送信信号の送信頻度を設定することを特徴とする請求項５または請求項６記載の通信端末装置。
【請求項８】
通信端末装置の電池の残量の情報に基づいて前記通信端末装置が送信信号を送信する際の多重するチャネル数が異なる通信方式を選択する通信方式選択手段と、
前記通信方式選択手段にて選択された通信方式の情報である通信方式情報を前記通信端末装置へ送信する送信手段と、
を具備することを特徴とする基地局装置。
【請求項９】
前記通信方式選択手段は、前記残量がしきい値未満の場合には前記残量が前記しきい値以上の場合に比べて少ないチャネル数にて多重する通信方式を選択することを特徴とする請求項８記載の基地局装置。
【請求項１０】
通信端末装置の電池の残量の情報に基づいて前記通信端末装置が送信信号を送信する際の最大送信電力を選択する最大送信電力選択手段と、
前記最大送信電力選択手段にて選択された最大送信電力の情報である最大送信電力情報を前記通信端末装置へ送信する送信手段と、
を具備することを特徴とする基地局装置。
【請求項１１】
前記最大送信電力選択手段は、前記残量がしきい値未満の場合には前記残量が前記しきい値以上の場合に比べて前記最大送信電力を小さくすることを特徴とする請求項１０記載の基地局装置。
【請求項１２】
通信端末装置の電池の残量の情報に基づいて前記通信端末装置が送信信号を送信する際の送信頻度を設定する送信頻度設定手段と、
前記送信頻度設定手段にて設定された前記送信頻度の情報である送信頻度情報を前記通信端末装置へ送信する送信手段と、
を具備することを特徴とする基地局装置。
【請求項１３】
前記送信頻度選択手段は、前記残量がしきい値未満の場合には前記残量が前記しきい値以上の場合に比べて前記送信頻度を少なくすることを特徴とする請求項１２記載の基地局装置。
【請求項１４】
前記送信頻度設定手段は、ＨＳ−ＤＰＣＣＨにて送信する送信信号の送信頻度を設定することを特徴とする請求項１２または請求項１３記載の基地局装置。
【請求項１５】
電池の残量を検出するステップと、
検出された前記残量に基づいて多重するチャネル数が異なる通信方式を選択するステップと、
選択された前記通信方式にて送信することを通信相手より許可された場合には選択された前記通信方式にて前記通信相手に送信信号を送信するステップと、
を具備することを特徴とする送信方法。
【請求項１６】
通信端末装置における電池の残量の情報に基づいて前記通信端末装置が基地局装置へ送信信号を送信する際の多重するチャネル数が異なる通信方式を前記基地局装置にて選択するステップと、
前記基地局装置にて選択された前記通信方式の情報である通信方式情報を前記基地局装置から前記通信端末装置へ送信するステップと、
前記通信方式情報を受信した前記通信端末装置が前記通信方式情報の通信方式にて前記基地局装置へ送信信号を送信するステップと、
を具備することを特徴とする送信方法。
【請求項１７】
前記残量がしきい値未満の場合には前記残量が前記しきい値以上の場合に比べて少ないチャネル数にて多重する前記通信方式を選択することを特徴とする請求項１５または請求項１６記載の送信方法。
【請求項１８】
電池の残量を検出するステップと、
検出された前記残量に基づいて最大送信電力を選択するステップと、
選択された前記最大送信電力未満の送信電力にて送信することを通信相手より許可された場合には選択された前記最大送信電力未満の送信電力にて前記通信相手に送信信号を送信するステップと、
を具備することを特徴とする送信方法。
【請求項１９】
通信端末装置における電池の残量の情報に基づいて前記通信端末装置が基地局装置へ送信する際の送信信号の最大送信電力を前記基地局装置にて選択するステップと、
前記基地局装置にて選択された前記最大送信電力の情報である最大送信電力情報を前記基地局装置から前記通信端末装置へ送信するステップと、
前記最大送信電力情報を受信した前記通信端末装置が前記最大送信電力情報の最大送信電力以下の送信電力にて前記基地局装置へ送信信号を送信するステップと、
を具備することを特徴とする送信方法。
【請求項２０】
前記残量がしきい値未満の場合には前記残量が前記しきい値以上の場合に比べて前記最大送信電力を小さくすることを特徴とする請求項１８または請求項１９記載の送信方法。
【請求項２１】
電池の残量を検出するステップと、
検出された前記残量に基づいて送信頻度を設定するステップと、
設定された前記送信頻度にて送信することを通信相手より許可された場合には設定された前記送信頻度にて前記通信相手に送信信号を送信するステップと、
を具備することを特徴とする送信方法。
【請求項２２】
通信端末装置における電池の残量の情報に基づいて前記通信端末装置が基地局装置へ送信信号を送信する際の送信頻度を前記基地局装置にて設定するステップと、
前記基地局装置にて設定された前記送信頻度の情報である送信頻度情報を前記通信端末装置へ送信するステップと、
前記送信頻度情報を受信した前記通信端末装置が前記送信頻度情報の送信頻度にて前記基地局装置へ送信信号を送信するステップと、
を具備することを特徴とする送信方法。
【請求項２３】
前記残量がしきい値未満の場合には前記残量が前記しきい値以上の場合に比べて前記送信頻度を少なくすることを特徴とする請求項１９または請求項２０記載の送信方法。
【請求項２４】
ＨＳ−ＤＰＣＣＨにて送信する送信信号の前記送信頻度を設定することを特徴とする請求項２１から請求項２３のいずれかに記載の送信方法。
【発明の詳細な説明】
【技術分野】
【０００１】
本発明は、通信端末装置及び基地局装置に関し、特にＨＳＤＰＡ（High Speed Downlink Packet Access）方式を採用した通信システムに使用される通信端末装置及び基地局装置に関する。
【背景技術】
【０００２】
従来、無線通信システムの分野において、個別チャネル（ＤＰＣＨ）を用いてある通信端末装置にパケット伝送を行う通信方式以外に、高速大容量な下りチャネルを複数の通信端末装置が共有し、下り回線で高速パケット伝送を行うＨＳＤＰＡと呼ばれる通信方式が規格化されている。
【０００３】
このようなＨＳＤＰＡシステムにおいて、基地局装置はＣＱＩ（Channel Quality Indicator）と呼ばれる通信端末装置において復調可能なパケットデータの変調方式及び符号化率を示す信号を通信端末装置から送信してもらう。ＣＱＩを受信した基地局装置は、各通信端末装置から送られてきたＣＱＩを用いてスケジューリングを行うと共に最適な変調方式及び符号化率等を選択する。そして、基地局装置は、選択した変調方式及び符号化率等を用いて送信データを変調及び符号化し、スケジューリング結果に基づいて各通信端末装置へデータを送信するものである。これにより、電波伝搬環境に応じて伝送レートを適応的に変えるため、ＨＳＤＰＡはＤＰＣＨと比較して、大容量のデータを基地局装置から通信端末装置へ送信することができる。
【０００４】
このＨＳＤＰＡシステムにおいて、通信端末装置は、ＨＳＤＰＡにて送信するかまたはＤＰＣＨにて送信するかの判定結果を上位装置に送信する（例えば、非特許文献１）。即ち、通信端末装置は、Ｇｅｎｅｒａｌ  ｃａｐａｂｉｌｉｔｉｅｓにおいて、ＨＳＤＰＡにて送信するか（ＲＥＬ−５）またはＤＰＣＨにて送信するか（Ｒ９９またはＲＥＬ−４）を選択し、選択した結果を基地局装置を介して上位装置に報告する。ＨＳＤＰＡはＤＰＣＨと比較して大容量のデータを送信することができ、システムのスループットも向上するので、一般的に通信端末装置はＤＰＣＨよりもＨＳＤＰＡを選択する。
【０００５】
また、このＨＳＤＰＡシステムにおいて、通信端末装置は、ＨＳ−ＤＰＣＣＨ（Dedicated Physical Control Channel(uplink) for HS-DSCH）に、ＨＳ−ＰＤＳＣＨ（High Speed Physical Downlink Shared Channel）と呼ばれる下りパケットを受信できたか否かを示すＡＣＫ／ＮＡＣＫ信号やＣＱＩ信号を乗せて送信する（例えば、非特許文献２）。この方法では、ＨＳ−ＤＰＣＣＨはＤＰＣＣＨ（Dedicated Physical Control Channel）やＤＰＤＣＨ（Dedicated Physical Data Channel）とコード多重して送信される。
【非特許文献１】「3GPP, TS 25.306 V5.5.0 5.1」
【非特許文献２】「3GPP, TS 25.213 V5.3.0 4.2.1」
【発明の開示】
【発明が解決しようとする課題】
【０００６】
しかしながら、従来の通信端末装置及び基地局装置においては、ＨＳＤＰＡを行う場合、通信端末装置がＨＳ−ＤＰＣＣＨをコード多重して送信するため、ＤＰＣＨを行う場合と比較して１コード余分に送信していることとなり、送信電力が大きくなって消費電流が増加し、電池が減るスピードが速いという問題がある。また、電池残量が少ない時にＨＳＤＰＡを行う場合は、ＤＰＣＨを行う場合と比較して電池残量が０になる時間が早いという問題がある。
【０００７】
この場合、通信端末装置から基地局装置に送信するデータのレートを下げることにより、基地局装置の所要受信電力が小さくなるため、通信端末装置の送信電力を小さくして電池残量を長く持たせる方法も考えられるが、送信レートが下がるため通信端末装置が送信するデータ量が少なくなるという問題がある。
【０００８】
本発明はかかる点に鑑みてなされたものであり、電池残量が少ない場合に消費電流を少なくすることができるとともに、送信データ量を減らさずに電池を長持ちさせることができる通信端末装置及び基地局装置を提供することを目的とする。
【課題を解決するための手段】
【０００９】
本発明の通信端末装置は、電池の残量を検出する電池残量検出手段と、前記電池残量検出手段にて検出された前記残量に基づいて多重するチャネル数が異なる通信方式を選択する通信方式選択手段と、前記通信方式選択手段にて選択された通信方式にて送信することを通信相手より許可された場合には前記通信方式選択手段にて選択された通信方式にて前記通信相手に送信信号を送信する送信手段と、を具備する構成を採る。
【００１０】
この構成によれば、電池の残量に応じて多重するチャネル数が異なる通信方式を選択するので、電池残量が少ない場合に消費電流を少なくすることができるとともに、送信データ量を減らさずに電池を長持ちさせることができる。
【００１１】
本発明の通信端末装置は、前記構成において、前記通信方式選択手段は、前記残量がしきい値未満の場合には前記残量が前記しきい値以上の場合に比べて少ないチャネル数にて多重する通信方式を選択する構成を採る。
【００１２】
この構成によれば、前記効果に加えて、電池の残量がしきい値未満の場合には少ないチャネル数にて多重する通信方式を選択することにより、電池残量が少ない場合において多重するチャネル数が少ない分だけ送信電力を小さくすることができるので、消費電流を少なくすることができるとともに電池を長持ちさせることができる。
【００１３】
本発明の通信端末装置は、電池の残量を検出する電池残量検出手段と、前記電池残量検出手段にて検出された前記残量に基づいて最大送信電力を選択する最大送信電力選択手段と、前記最大送信電力選択手段にて選択された最大送信電力以下の送信電力にて送信することを通信相手より許可された場合には前記最大送信電力選択手段にて選択された最大送信電力以下の送信電力にて前記通信相手に送信信号を送信する送信手段と、を具備する構成を採る。
【００１４】
この構成によれば、電池の残量に応じて最大送信電力を選択するので、電池残量が少ない場合に消費電流を少なくすることができるとともに、送信データ量を減らさずに電池を長持ちさせることができる。
【００１５】
本発明の通信端末装置は、前記構成において、前記最大送信電力選択手段は、前記残量がしきい値未満の場合には前記残量が前記しきい値以上の場合に比べて前記最大送信電力を小さくする構成を採る。
【００１６】
この構成によれば、前記効果に加えて、電池の残量がしきい値未満の場合には最大送信電力を小さくすることにより、送信電力を小さくすることができるので、消費電流を少なくすることができるとともに電池を長持ちさせることができる。
【００１７】
本発明の通信端末装置は、電池の残量を検出する電池残量検出手段と、前記電池残量検出手段にて検出された前記残量に基づいて送信頻度を設定する送信頻度設定手段と、前記送信頻度設定手段にて設定された前記送信頻度にて送信することを通信相手より許可された場合には前記送信頻度設定手段にて設定された前記送信頻度にて前記通信相手に送信信号を送信する送信手段と、を具備する構成を採る。
【００１８】
この構成によれば、電池の残量に応じて送信頻度を設定するので、電池残量が少ない場合に消費電流を少なくすることができるとともに、送信データ量を減らさずに電池を長持ちさせることができる。
【００１９】
本発明の通信端末装置は、前記構成において、前記送信頻度設定手段は、前記残量がしきい値未満の場合には前記残量が前記しきい値以上の場合に比べて前記送信頻度を少なくする構成を採る。
【００２０】
この構成によれば、前記効果に加えて、電池の残量がしきい値未満である場合には送信頻度を少なくすることにより、送信頻度を少なくする分だけ消費電力を小さくすることができるので、電池を長持ちさせることができる。
【００２１】
本発明の通信端末装置は、前記構成において、前記送信頻度設定手段は、ＨＳ−ＤＰＣＣＨにて送信する送信信号の送信頻度を設定する構成を採る。
【００２２】
この構成によれば、前記効果に加えて、例えば電池の残量がしきい値未満になった場合には、回線品質を示す信号であるＣＱＩを送信するチャネル、またはパケットを受信できたか否かを示す信号を送信するチャネルであるＨＳ−ＤＰＣＣＨの送信信号の送信頻度を少なくし、データを送信するＨＳ−ＤＰＣＣＨ以外のチャネルの送信信号の送信頻度は少なくしないので、所定の時間におけるデータの伝送量は維持したままで消費電力を小さくすることができる。
【００２３】
本発明の基地局装置は、通信端末装置の電池の残量の情報に基づいて前記通信端末装置が送信信号を送信する際の多重するチャネル数が異なる通信方式を選択する通信方式選択手段と、前記通信方式選択手段にて選択された通信方式の情報である通信方式情報を前記通信端末装置へ送信する送信手段と、を具備する構成を採る。
【００２４】
この構成によれば、電池の残量に応じて多重するチャネル数が異なる通信方式を選択するので、電池残量が少ない場合に消費電流を少なくすることができるとともに、送信データ量を減らさずに電池を長持ちさせることができる。さらに、通信端末装置から送信される送信信号の通信方式は基地局装置にて選択し、通信端末装置は通信方式を選択する処理を行う必要がないので、通信端末装置における処理負荷を軽減することができる。
【００２５】
本発明の基地局装置は、前記構成において、前記通信方式選択手段は、前記残量がしきい値未満の場合には前記残量が前記しきい値以上の場合に比べて少ないチャネル数にて多重する通信方式を選択する構成を採る。
【００２６】
この構成によれば、前記効果に加えて、電池の残量がしきい値未満の場合には少ないチャネル数にて多重する通信方式を選択することにより、電池残量が少ない場合において多重するチャネル数が少ない分だけ送信電力を小さくすることができるので、消費電流を少なくすることができるとともに電池を長持ちさせることができる。
【００２７】
本発明の基地局装置は、通信端末装置の電池の残量の情報に基づいて前記通信端末装置が送信信号を送信する際の最大送信電力を選択する最大送信電力選択手段と、前記最大送信電力選択手段にて選択された最大送信電力の情報である最大送信電力情報を前記通信端末装置へ送信する送信手段と、を具備する構成を採る。
【００２８】
この構成によれば、電池の残量に応じて最大送信電力を選択するので、電池残量が少ない場合に消費電流を少なくすることができるとともに、送信データ量を減らさずに電池を長持ちさせることができる。さらに、通信端末装置から送信される送信信号における最大送信電力は基地局装置にて選択し、通信端末装置は最大送信電力を選択する処理を行う必要がないので、通信端末装置における処理負荷を軽減することができる。
【００２９】
本発明の基地局装置は、前記構成において、前記最大送信電力選択手段は、前記残量がしきい値未満の場合には前記残量が前記しきい値以上の場合に比べて前記最大送信電力を小さくする構成を採る。
【００３０】
この構成によれば、前記効果に加えて、電池の残量がしきい値未満の場合には最大送信電力を小さくすることにより、送信電力を小さくすることができるので、消費電流を少なくすることができるとともに電池を長持ちさせることができる。
【００３１】
本発明の基地局装置は、通信端末装置の電池の残量の情報に基づいて前記通信端末装置が送信信号を送信する際の送信頻度を設定する送信頻度設定手段と、前記送信頻度設定手段にて設定された前記送信頻度の情報である送信頻度情報を前記通信端末装置へ送信する送信手段と、を具備する構成を採る。
【００３２】
この構成によれば、電池の残量に応じて送信頻度を設定するので、電池残量が少ない場合に消費電流を少なくすることができるとともに、送信データ量を減らさずに電池を長持ちさせることができる。さらに、通信端末装置から送信される送信信号の送信頻度は基地局装置にて設定し、通信端末装置は送信頻度を設定する処理を行う必要がないので、通信端末装置における処理負荷を軽減することができる。
【００３３】
本発明の基地局装置は、前記構成において、前記送信頻度選択手段は、前記残量がしきい値未満の場合には前記残量が前記しきい値以上の場合に比べて前記送信頻度を少なくする構成を採る。
【００３４】
この構成によれば、前記効果に加えて、電池の残量がしきい値未満である場合には送信頻度を少なくすることにより、送信頻度を少なくする分だけ消費電力を小さくすることができるので、電池を長持ちさせることができる。
【００３５】
本発明の基地局装置は、前記構成において、前記送信頻度設定手段は、ＨＳ−ＤＰＣＣＨにて送信する送信信号の送信頻度を設定する構成を採る。
【００３６】
この構成によれば、前記効果に加えて、例えば電池の残量がしきい値未満になった場合には、回線品質を示す信号であるＣＱＩを送信するチャネル、またはパケットを受信できたか否かを示す信号を送信するチャネルであるＨＳ−ＤＰＣＣＨの送信信号の送信頻度を少なくし、データを送信するＨＳ−ＤＰＣＣＨ以外のチャネルの送信信号の送信頻度は少なくしないので、所定の時間におけるデータの伝送量は維持したままで消費電力を小さくすることができる。
【００３７】
本発明の送信方法は、電池の残量を検出するステップと、検出された前記残量に基づいて多重するチャネル数が異なる通信方式を選択するステップと、選択された前記通信方式にて送信することを通信相手より許可された場合には選択された前記通信方式にて前記通信相手に送信信号を送信するステップと、を具備するようにした。
【００３８】
この方法によれば、電池の残量に応じて多重するチャネル数が異なる通信方式を選択するので、電池残量が少ない場合に消費電流を少なくすることができるとともに、送信データ量を減らさずに電池を長持ちさせることができる。
【００３９】
本発明の送信方法は、通信端末装置における電池の残量の情報に基づいて前記通信端末装置が基地局装置へ送信信号を送信する際の多重するチャネル数が異なる通信方式を前記基地局装置にて選択するステップと、前記基地局装置にて選択された前記通信方式の情報である通信方式情報を前記基地局装置から前記通信端末装置へ送信するステップと、前記通信方式情報を受信した前記通信端末装置が前記通信方式情報の通信方式にて前記基地局装置へ送信信号を送信するステップと、を具備するようにした。
【００４０】
この方法によれば、電池の残量に応じて多重するチャネル数が異なる通信方式を選択するので、電池残量が少ない場合に消費電流を少なくすることができるとともに、送信データ量を減らさずに電池を長持ちさせることができる。さらに、通信端末装置から送信される送信信号の通信方式は基地局装置にて選択し、通信端末装置は通信方式を選択する処理を行う必要がないので、通信端末装置における処理負荷を軽減することができる。
【００４１】
本発明の送信方法は、前記方法において、前記残量がしきい値未満の場合には前記残量が前記しきい値以上の場合に比べて少ないチャネル数にて多重する前記通信方式を選択するようにした。
【００４２】
この方法によれば、前記効果に加えて、電池の残量がしきい値未満の場合には少ないチャネル数にて多重する通信方式を選択することにより、電池残量が少ない場合において多重するチャネル数が少ない分だけ送信電力を小さくすることができるので、消費電流を少なくすることができるとともに電池を長持ちさせることができる。
【００４３】
本発明の送信方法は、電池の残量を検出するステップと、検出された前記残量に基づいて最大送信電力を選択するステップと、選択された前記最大送信電力未満の送信電力にて送信することを通信相手より許可された場合には選択された前記最大送信電力未満の送信電力にて前記通信相手に送信信号を送信するステップと、を具備するようにした。
【００４４】
この方法によれば、電池の残量に応じて最大送信電力を選択するので、電池残量が少ない場合に消費電流を少なくすることができるとともに、送信データ量を減らさずに電池を長持ちさせることができる。
【００４５】
本発明の送信方法は、通信端末装置における電池の残量の情報に基づいて前記通信端末装置が基地局装置へ送信する際の送信信号の最大送信電力を前記基地局装置にて選択するステップと、前記基地局装置にて選択された前記最大送信電力の情報である最大送信電力情報を前記基地局装置から前記通信端末装置へ送信するステップと、前記最大送信電力情報を受信した前記通信端末装置が前記最大送信電力情報の最大送信電力以下の送信電力にて前記基地局装置へ送信信号を送信するステップと、を具備するようにした。
【００４６】
この方法によれば、電池の残量に応じて最大送信電力を選択するので、電池残量が少ない場合に消費電流を少なくすることができるとともに、送信データ量を減らさずに電池を長持ちさせることができる。さらに、通信端末装置から送信される送信信号における最大送信電力は基地局装置にて選択し、通信端末装置は最大送信電力を選択する処理を行う必要がないので、通信端末装置における処理負荷を軽減することができる。
【００４７】
本発明の送信方法は、前記方法において、前記残量がしきい値未満の場合には前記残量が前記しきい値以上の場合に比べて前記最大送信電力を小さくするようにした。
【００４８】
この方法によれば、前記効果に加えて、電池の残量がしきい値未満の場合には最大送信電力を小さくすることにより、送信電力を小さくすることができるので、消費電流を少なくすることができるとともに電池を長持ちさせることができる。
【００４９】
本発明の送信方法は、電池の残量を検出するステップと、検出された前記残量に基づいて送信頻度を設定するステップと、設定された前記送信頻度にて送信することを通信相手より許可された場合には設定された前記送信頻度にて前記通信相手に送信信号を送信するステップと、を具備するようにした。
【００５０】
この方法によれば、電池の残量に応じて送信頻度を設定するので、電池残量が少ない場合に消費電流を少なくすることができるとともに、送信データ量を減らさずに電池を長持ちさせることができる。
【００５１】
本発明の送信方法は、通信端末装置における電池の残量の情報に基づいて前記通信端末装置が基地局装置へ送信信号を送信する際の送信頻度を前記基地局装置にて設定するステップと、前記基地局装置にて設定された前記送信頻度の情報である送信頻度情報を前記通信端末装置へ送信するステップと、前記送信頻度情報を受信した前記通信端末装置が前記送信頻度情報の送信頻度にて前記基地局装置へ送信信号を送信するステップと、を具備するようにした。
【００５２】
この方法によれば、電池の残量に応じて送信頻度を設定するので、電池残量が少ない場合に消費電流を少なくすることができるとともに、送信データ量を減らさずに電池を長持ちさせることができる。さらに、通信端末装置から送信される送信信号の送信頻度は基地局装置にて設定し、通信端末装置は送信頻度を設定する処理を行う必要がないので、通信端末装置における処理負荷を軽減することができる。
【００５３】
本発明の送信方法は、前記方法において、前記残量がしきい値未満の場合には前記残量が前記しきい値以上の場合に比べて前記送信頻度を少なくするようにした。
【００５４】
この方法によれば、前記効果に加えて、電池の残量がしきい値未満である場合には送信頻度を少なくすることにより、送信頻度を少なくする分だけ消費電力を小さくすることができるので、電池を長持ちさせることができる。
【００５５】
本発明の送信方法は、前記方法において、ＨＳ−ＤＰＣＣＨにて送信する送信信号の前記送信頻度を設定するようにした。
【００５６】
この方法によれば、前記効果に加えて、例えば電池の残量がしきい値未満になった場合には、回線品質を示す信号であるＣＱＩを送信するチャネル、またはパケットを受信できたか否かを示す信号を送信するチャネルであるＨＳ−ＤＰＣＣＨの送信信号の送信頻度を少なくし、データを送信するＨＳ−ＤＰＣＣＨ以外のチャネルの送信信号の送信頻度は少なくしないので、所定の時間におけるデータの伝送量は維持したままで消費電力を小さくすることができる。
【発明の効果】
【００５７】
本発明によれば、電池残量が少ない場合に消費電流を少なくすることができるとともに、送信データ量を減らさずに電池を長持ちさせることができる。
【発明を実施するための最良の形態】
【００５８】
本発明の骨子は、検出された電池の残量に基づいて通信方式、最大送信電力または送信頻度を選択するとともに、選択された通信方式、最大送信電力または送信頻度にて送信することを基地局装置より許可された場合には選択された通信方式、最大送信電力または送信頻度にて基地局装置に送信信号を送信することである。また、通信端末装置の電池の残量の情報に基づいて通信端末装置が送信信号を送信する際の通信方式、最大送信電力または送信頻度を選択して通信方式情報、最大送信電力情報または送信頻度情報として通信端末装置へ送信するとともに、通信方式情報、最大送信電力情報または送信頻度情報を受信した通信端末装置は通信方式情報、最大送信電力情報または送信頻度情報の通信方式、最大送信電力または送信頻度にて基地局装置へ送信信号を送信することである。
【００５９】
以下、本発明の実施の形態について、図面を参照して詳細に説明する。
【００６０】
（実施の形態１）
図１は、本発明の実施の形態１に係る通信端末装置１００の構成を示すブロック図である。
【００６１】
電池残量検出部１０１は、例えば、電池の電圧から通信端末装置１００の電池の残量を検出して検出結果を送信方法判定部１０２へ出力する。
【００６２】
送信方法判定部１０２は、電池残量検出部１０１から入力した電池残量の検出結果に基づいて、ＨＳ−ＤＰＣＣＨ、ＤＰＣＣＨ及びＤＰＤＣＨを用いるＨＳＤＰＡを用いて通信を行うか、またはＨＳ−ＤＰＣＣＨを用いずにＤＰＣＣＨ及びＤＰＤＣＨを用いる通信方式（以下「ＤＰＣＨ通信方式」と記載する）にて通信を行うかを判定し、判定結果を送信フレーム作成部１０３へ出力する。送信方法判定部１０２は、電池残量が所定のしきい値未満になった場合、ＨＳＤＰＡからＤＰＣＨ通信方式に変更する判定を行う。また、送信方法判定部１０２は、電池の充電等により電池残量が所定のしきい値以上になった場合、ＤＰＣＨ通信方式からＨＳＤＰＡに変更する判定を行う。
【００６３】
送信フレーム作成部１０３は、送信方法判定部１０２から入力した送信方法の判定結果と送信データから送信フレームを作成し、変調部１０４へ出力する。具体的には、送信フレーム作成部１０３は、送信チャネル決定部１１３からＤＰＣＨ通信方式にて通信を行う決定結果、即ちＤＰＣＣＨとＤＰＤＣＨにて送信する決定結果の情報が入力した場合、ＤＰＣＣＨとＤＰＤＣＨの送信フレームを作成し、送信チャネル決定部１１３からＨＳＤＰＡにて通信を行う決定結果、即ちＨＳ−ＤＰＣＣＨをＤＰＣＣＨ及びＤＰＤＣＨとコード多重して送信する決定結果の情報が入力した場合、ＤＰＣＣＨ、ＤＰＤＣＨ及びＨＳ−ＤＰＣＣＨの送信フレームを作成する。
【００６４】
変調部１０４は、送信チャネル決定部１１３から入力した決定結果の情報に基づいて、送信フレーム作成部１０３から入力した送信データを変調し、拡散部１０５へ出力する。具体的には、変調部１０４は、送信チャネル決定部１１３からＤＰＣＣＨとＤＰＤＣＨにて送信する決定結果の情報が入力した場合、ＤＰＣＣＨとＤＰＤＣＨの送信フレームを変調し、送信チャネル決定部１１３からＨＳ−ＤＰＣＣＨをＤＰＣＣＨ及びＤＰＤＣＨとコード多重して送信する決定が出力された場合、ＤＰＣＣＨ、ＤＰＤＣＨ及びＨＳ−ＤＰＣＣＨの送信フレームを変調する。
【００６５】
拡散部１０５は、送信チャネル決定部１１３から入力した決定結果の情報に基づいて、変調部１０４から入力した変調後の信号を拡散して送信無線部１０６へ出力する。具体的には、拡散部１０５は、送信チャネル決定部１１３からＤＰＣＣＨとＤＰＤＣＨにて送信する決定結果の情報入力した場合、変調後のＤＰＣＣＨとＤＰＤＣＨを拡散し、送信チャネル決定部１１３からＨＳ−ＤＰＣＣＨをＤＰＣＣＨ及びＤＰＤＣＨとコード多重して送信する決定が出力された場合、変調後のＤＰＣＣＨ、ＤＰＤＣＨ及びＨＳ−ＤＰＣＣＨを拡散して、ＨＳ−ＤＰＣＣＨをＤＰＣＣＨ及びＤＰＤＣＨとコード多重する。
【００６６】
送信無線部１０６は、拡散部１０５から入力した拡散後の信号に所定の無線処理を施してアンテナ共用部１０７へ出力する。
【００６７】
アンテナ共用部１０７は、送信無線部１０６から入力した送信信号をアンテナ１０８より送信し、アンテナ１０８にて受信した受信信号を受信無線部１０９へ出力する。
【００６８】
受信無線部１０９は、アンテナ共用部１０７から入力した受信信号に対して所定の無線処理を施して逆拡散部１１０へ出力する。
【００６９】
逆拡散部１１０は、受信無線部１０９から入力した受信信号を逆拡散して復調部１１１へ出力する。
【００７０】
復調部１１１は、逆拡散部１１０から入力した逆拡散後の信号を復調して復号部１１２へ出力する。
【００７１】
復号部１１２は、復調部１１１から入力した復調後の信号を復号して送信方法の決定結果と受信データを得て、送信方法の決定結果を送信チャネル決定部１１３へ出力する。
【００７２】
送信チャネル決定部１１３は、復号部１１２から入力した送信方法の決定結果から送信するチャネルの種類を決定する。送信チャネル決定部１１３は、ＨＳＤＰＡからＤＰＣＨ通信方式に変更する決定の場合、ＤＰＣＣＨとＤＰＤＣＨにて送信する決定結果の情報を送信フレーム作成部１０３、変調部１０４及び拡散部１０５へ出力する。また、送信チャネル決定部１１３は、ＤＰＣＨ通信方式からＨＳＤＰＡに変更する決定の場合、ＨＳ−ＤＰＣＣＨをＤＰＣＣＨやＤＰＤＣＨとコード多重して送信する決定を送信フレーム作成部１０３、変調部１０４及び拡散部１０５へ出力する。
【００７３】
次に、本発明の実施の形態１に係る基地局装置２００の構成について、図２を用いて説明する。図２は、基地局装置２００の構成を示すブロック図である。
【００７４】
アンテナ共用部２０２は、送信無線部２１０から入力した送信信号をアンテナ２０１から送信し、アンテナ２０１にて受信した受信信号を受信無線部２０３へ出力する。
【００７５】
受信無線部２０３は、アンテナ共用部２０２から入力した受信信号に対して所定の無線処理を施し、逆拡散部２０４へ出力する。
【００７６】
逆拡散部２０４は、受信無線部２０３から入力した受信信号を逆拡散し、復調部２０５へ出力する。
【００７７】
復調部２０５は、逆拡散部２０４から入力した逆拡散後の信号を復調し、復号部２０６へ出力する。
【００７８】
復号部２０６は、復調部２０５から入力した復調後の信号を復号して送信方法の判定結果と受信データを得て、送信方法の判定結果を図示しない上位装置へ出力する。
【００７９】
送信フレーム作成部２０７は、上位装置から入力した送信方法の決定結果と送信データから送信フレームを作成し、変調部２０８へ出力する。
【００８０】
変調部２０８は、送信フレーム作成部２０７から入力した送信データを変調し、拡散部２０９に出力する。
【００８１】
拡散部２０９は、変調部２０８から入力した変調後の信号を拡散し、送信無線部２１０へ出力する。
【００８２】
送信無線部２１０は、拡散部２０９から入力した拡散後の信号に所定の無線処理を施し、アンテナ共用部２０２へ出力する。
【００８３】
上位装置は、通信端末装置１００から送信された送信方法の判定結果より、ＨＳＤＰＡを行うかＤＰＣＨ通信方式による通信を行うかを決定し、送信方法の決定結果を基地局装置２００に出力する。通信端末装置１００よりＨＳＤＰＡからＤＰＣＨ通信方式に変更する判定結果の情報が送信された場合、上位装置は、ＨＳＤＰＡからＤＰＣＨ通信方式に変更する決定を基地局装置２００に出力する。また、通信端末装置１００よりＤＰＣＨ通信方式からＨＳＤＰＡに変更する判定結果の情報が送信された場合、上位装置は、ＤＰＣＨ通信方式からＨＳＤＰＡに変更する決定を基地局装置２００に出力する。
【００８４】
このように、本実施の形態１によれば、電池の残量に応じて通信方式を選択するので、電池残量が少ない場合に消費電流を少なくすることができるとともに、送信データ量を減らさずに電池を長持ちさせることができる。また、本実施の形態１によれば、電池の残量がしきい値未満の場合には少ない多重数にてコード多重する通信方式を選択することにより、電池残量が少ない場合において多重するコード数が少ない分だけ送信電力を小さくすることができるので、消費電流を少なくすることができるとともに電池を長持ちさせることができる。また、本実施の形態１によれば、通信端末装置の電池残量に基づいて通信方式をＨＳＤＰＡからＤＰＣＨに変更後、電池の充電等により電池残量が多くなった場合、ＤＰＣＨからＨＳＤＰＡに変更することにより大容量のデータを送信することができるので、システムのスループットを向上させることができる。
【００８５】
なお、本実施の形態１において、通信方式を選択する際にＨＳＤＰＡ及びＤＰＣＨ通信方式の中から選択することとしたが、これに限らず、ＨＳＤＰＡ及びＤＰＣＨ通信方式以外の通信方式の中から通信方式を選択するようにしても良い。特に、通信端末装置から送信するコード数が異なる送信方法であれば、いずれにも適用できる。また、本実施の形態１において、上位装置が通信端末装置１００から送信された送信方法の判定結果に従って送信データを基地局装置２００に出力しているが、これに限らず、上位装置が送信方法を変更するか否かを判断してもよい。例えば、通信端末装置１００からＨＳＤＰＡからＤＰＣＨに変更する判定結果の情報が送信されたとしても、上位装置はＤＰＣＨに変更して送信するよりこのままＨＳＤＰＡで送信することがシステムとして好適であると判断した場合は、ＨＳＤＰＡで送信することを決定して、決定結果の情報を基地局装置２００に出力する。
【００８６】
また、本実施の形態１において、基地局装置を介して通信端末装置から送信された送信方法の判定結果に基づいて、上位装置がＨＳＤＰＡを行うかまたはＤＰＣＨを行うかを最終的に決定しているが、これに限らず、基地局装置または通信端末装置がＨＳＤＰＡを行うかＤＰＣＨを行うか等の送信方法を最終的に決定しても良い。基地局装置が送信方法を最終的に決定する場合、基地局装置はＨＳＤＰＡを行うかまたはＤＰＣＨを行うかの送信方法の決定結果の情報を上位装置に通知し、通信端末装置に送信する。また、通信端末装置が送信方法を最終的に決定する場合、通信端末装置はＨＳＤＰＡを行うかまたはＤＰＣＨを行うかの通信方法の決定結果の情報を基地局装置に送信し、基地局装置を介して上位装置に通知する。また、本実施の形態１において、通信端末装置１００を用いているユーザが送信方法を変更するか否かを判定しても良い。例えば、液晶表示または音声により通信端末装置の電池残量をユーザに知らせる機能と、ＨＳＤＰＡを行うかＤＰＣＨを行うかを判定するボタンとを通信端末装置に設けて、ユーザが電池残量を認識した後、電池残量が少ないときにＨＳＤＰＡからＤＰＣＨに変更するボタンを押すことで、これに連動してＨＳＤＰＡからＤＰＣＨに変更する判定結果を基地局装置に送信する。
【００８７】
（実施の形態２）
図３は、本発明の実施の形態２に係る通信端末装置３００の構成を示すブロック図である。
【００８８】
本実施の形態２に係る通信端末装置３００は、図１に示す実施の形態１に係る通信端末装置１００において、図３に示すように、送信方法判定部１０２を除き、送信フレーム作成部１０３の代わりに送信フレーム作成部３０１を有する。なお、図３においては、図１と同一構成である部分には同一の符号を付してその説明は省略する。
【００８９】
電池残量検出部１０１は、通信端末装置３００の電池の残量を検出して検出結果を送信フレーム作成部３０１へ出力する。
【００９０】
送信フレーム作成部３０１は、電池残量検出部１０１から入力した電池の残量の検出結果と送信データから送信フレームを作成し、変調部１０４へ出力する。具体的には、送信フレーム作成部３０１は、送信チャネル決定部１１３からＤＰＣＣＨとＤＰＤＣＨにて送信する決定結果の情報が入力した場合、ＤＰＣＣＨとＤＰＤＣＨの送信フレームを作成し、送信チャネル決定部１１３からＨＳ−ＤＰＣＣＨをＤＰＣＣＨ及びＤＰＤＣＨとコード多重して送信する決定結果の情報が入力した場合、ＤＰＣＣＨ、ＤＰＤＣＨ及びＨＳ−ＤＰＣＣＨの送信フレームを作成する。
【００９１】
変調部１０４は、送信チャネル決定部１１３から入力した決定結果の情報に基づいて、送信フレーム作成部３０１から入力した送信データを変調し、拡散部１０５へ出力する。具体的には、変調部１０４は、送信チャネル決定部１１３からＤＰＣＣＨとＤＰＤＣＨにて送信する決定結果の情報入力した場合、ＤＰＣＣＨとＤＰＤＣＨの送信フレームを変調し、送信チャネル決定部１１３からＨＳ−ＤＰＣＣＨをＤＰＣＣＨ及びＤＰＤＣＨとコード多重して送信する決定が出力された場合、ＤＰＣＣＨ、ＤＰＤＣＨ及びＨＳ−ＤＰＣＣＨの送信フレームを変調する。
【００９２】
次に、本発明の実施の形態２に係る基地局装置４００の構成について、図４を用いて説明する。図４は、基地局装置４００の構成を示すブロック図である。
【００９３】
本実施の形態２に係る基地局装置４００は、図２に示す実施の形態１に係る基地局装置２００において、図４に示すように、送信方法判定部４０１を追加する。なお、図４においては、図２と同一構成である部分には同一の符号を付してその説明は省略する。
【００９４】
復号部２０６は、復調部２０５から入力した復調後の信号を復号して通信端末装置３００における電池の残量の検出結果の情報と受信データを得て、電池の残量の検出結果の情報を送信方法判定部４０１へ出力する。
【００９５】
送信方法判定部４０１は、復号部２０６から入力した電池の残量の検出結果の情報に基づいて、ＨＳＤＰＡを行うかＤＰＣＨ通信方式を行うかを判定し、送信方法の判定結果を上位装置に出力する。送信方法判定部４０１は、電池残量が所定のしきい値以下になった場合、ＨＳＤＰＡからＤＰＣＨ通信方式に変更する判定を行い、電池残量が所定のしきい値以上になった場合、ＤＰＣＨ通信方式からＨＳＤＰＡに変更する判定を行う。
【００９６】
このように、本実施の形態２によれば、上記実施の形態１の効果に加えて、電池の残量に応じた送信方法の判定を基地局装置にて行うので、通信端末装置における処理負荷を軽減することができる。
【００９７】
なお、本実施の形態２において、通信方式を選択する際にＨＳＤＰＡ及びＤＰＣＨ通信方式の中から選択することとしたが、これに限らず、ＨＳＤＰＡ及びＤＰＣＨ通信方式以外の通信方式の中から通信方式を選択するようにしても良い。また、本実施の形態２において、通信端末装置３００から送信された電池残量の情報に基づいて基地局装置４００がＨＳＤＰＡを行うかＤＰＣＨを行うかを判定しているが、これに限らず、基地局装置４００が通信端末装置３００から受け取った電池残量の情報を上位装置に出力し、上位装置がＨＳＤＰＡを行うかＤＰＣＨを行うかを判定しても良い。
【００９８】
また、本実施の形態２において、基地局装置で判定した送信方法の判定結果に従って、上位装置がＨＳＤＰＡを行うかまたはＤＰＣＨを行うかを最終的に決定しているが、これに限らず、基地局装置がＨＳＤＰＡを行うかまたはＤＰＣＨを行うかを最終的に決定してもよい。この場合、基地局装置はＨＳＤＰＡを行うかまたはＤＰＣＨを行うかの送信方法の決定結果の情報を上位装置に通知し、通信端末装置に送信する。また、本実施の形態２において、通信端末装置から送信された電池残量の情報から基地局装置がＨＳＤＰＡを行うかまたはＤＰＣＨを行うかを判定しているが、これに限らず、電池残量の情報を上位装置に出力し、上位装置がＨＳＤＰＡを行うかまたはＤＰＣＨを行うかを判定した後に上位装置がＨＳＤＰＡを行うかまたはＤＰＣＨを行うかを最終的に決定しても良い。
【００９９】
（実施の形態３）
図５は、本発明の実施の形態３に係る通信端末装置５００の構成を示すブロック図である。
【０１００】
本実施の形態３に係る通信端末装置５００は、図１に示す実施の形態１に係る通信端末装置１００において、図５に示すように、送信方法判定部１０２及び送信チャネル決定部１１３を除き、最大送信電力判定部５０１及び最大送信電力決定部５０３を追加し、送信フレーム作成部１０３の代わりに送信フレーム作成部５０２を有し、送信無線部１０６の代わりに送信無線部５０４を有する。なお、図５においては、図１と同一構成である部分には同一の符号を付してその説明は省略する。また、基地局装置は、送信方法の判定結果の情報を受信する代わりに最大送信電力の判定結果の情報を受信する構成及び送信方法の決定結果の情報を送信する代わりに最大送信電力の決定結果の情報を送信する構成以外は図２と同一構成であるので、その説明は省略する。
【０１０１】
電池残量検出部１０１は、通信端末装置５００の電池の残量を検出して検出結果を最大送信電力判定部５０１へ出力する。
【０１０２】
最大送信電力判定部５０１は、電池残量検出部１０１から入力した電池の残量の検出結果の情報に基づいて、最大送信電力を低くするか否かを判定し、判定結果の情報を送信フレーム作成部５０２へ出力する。具体的には、最大送信電力判定部５０１は、電池残量が所定のしきい値未満になった場合、電池残量がしきい値以上の場合に比べて最大送信電力を小さくする判定を行う。また、最大送信電力判定部５０１は、電池残量が所定のしきい値以上になった場合、電池残量がしきい値未満である場合に比べて最大送信電力を大きくする判定を行う。
【０１０３】
送信フレーム作成部５０２は、最大送信電力判定部５０１から入力した判定結果の情報と送信データから送信フレームを作成し、変調部１０４へ出力する。
【０１０４】
変調部１０４は、送信フレーム作成部５０２から入力した送信データを変調し、拡散部１０５へ出力する。
【０１０５】
拡散部１０５は、変調部１０４から入力した変調後の信号を拡散して送信無線部５０４へ出力する。
【０１０６】
復号部１１２は、復調部１１１から入力した復調後の信号を復号して最大送信電力の判定結果の情報と受信データを得て、最大送信電力の判定結果の情報を最大送信電力決定部５０３へ出力する。
【０１０７】
最大送信電力決定部５０３は、復号部１１２から入力した最大送信電力の判定結果の情報より、通信端末装置５００の最大送信電力を決定する。最大送信電力決定部５０３は、最大送信電力を低くすることを決定した場合、最大送信電力を低くする決定の情報を送信無線部５０４へ出力し、最大送信電力を高くすることを決定した場合、最大送信電力を高くする決定の情報を送信無線部５０４へ出力する。
【０１０８】
送信無線部５０４は、最大送信電力決定部５０３から最大送信電力を低くする決定の情報が入力した場合、拡散部１０５から入力した拡散後の信号に所定の無線処理を施すとともに、最大送信電力を低くした状態において所定の送信電力を設定してアンテナ共用部１０７へ出力する。また、送信無線部５０４は、最大送信電力決定部５０３から最大送信電力を高くする決定の情報が入力した場合、拡散部１０５から入力した拡散後の信号に所定の無線処理を施すとともに、最大送信電力を高くした状態において所定の送信電力を設定してアンテナ共用部１０７へ出力する。
【０１０９】
アンテナ共用部１０７は、送信無線部５０４から入力した送信信号をアンテナ１０８より送信し、アンテナ１０８にて受信した受信信号を受信無線部１０９へ出力する。
【０１１０】
このように、本実施の形態３によれば、電池残量が少ない場合には、最大送信電力を低くして送信することにより送信電力を小さくすることができるので、電池残量が少ない場合に消費電流を少なくすることができるとともに、送信データ量を減らさずに電池を長持ちさせることができる。また、本実施の形態３によれば、電池の残量が少ない場合においてもＨＳＤＰＡを用いることができるので、高いスループットを得ることができる。また、本実施の形態３によれば、通信端末装置の電池残量に基づいて最大送信電力を低くした後、電池の充電等により電池残量が多くなった場合、最大送信電力を元に戻して送信することで、基地局装置で十分な受信電力が確保できるため、通信端末装置が送信したデータを正しく受信することができる。特にＨＳＤＰＡにおいては、ＨＳ−ＤＰＣＣＨに乗っているＡＣＫ／ＮＡＣＫ信号やＣＱＩ信号の誤り率がシステムのスループットに影響を与えるため、最大送信電力を元に戻して送信することにより、システムのスループットを向上させることができる。
【０１１１】
なお、本実施の形態３において、上位装置が通信端末装置５００から送信された最大送信電力の判定結果の情報に従って、送信データを基地局装置に出力しているが、これに限らず、上位装置が基地局装置から受け取った通信端末装置５００における最大送信電力の情報に基づいて、最大送信電力を変更するか否かを判断してもよい。例えば、通信端末装置５００から最大送信電力を低くする判定結果の情報が送信されたとしても、上位装置は最大送信電力を低くして送信するより最大送信電力を変更せずに送信した方がシステムとして好適であると判断した場合は、最大送信電力を変更せずに送信することを決定する。また、本実施の形態３において、上位装置は基地局装置を介して通信端末装置５００から送信された最大送信電力の判定結果の情報を受け取って上位装置が最大送信電力を決定しているが、基地局装置または通信端末装置が最大送信電力を決定しても良い。基地局装置が最大送信電力を決定する場合、基地局装置は最大送信電力の決定結果の情報を上位装置に通知し、通信端末装置に送信する。また、通信端末装置が最大送信電力を決定する場合、通信端末装置は最大送信電力の決定結果の情報を基地局装置に送信し、基地局装置を介して上位装置に通知する。
【０１１２】
また、本実施の形態３において、基地局装置を介して通信端末装置５００から送信された最大送信電力の判定結果の情報から上位装置が最大送信電力を最終的に決定しているが、これに限らず、基地局装置や通信端末装置５００が最大送信電力を最終的に決定しても良い。基地局装置が最大送信電力を最終的に決定する場合、基地局装置は最大送信電力の決定結果の情報を上位装置に通知し、通信端末装置に送信する。また、通信端末装置が最大送信電力を最終的に決定する場合、通信端末装置は最大送信電力の決定結果の情報を基地局装置に送信し、基地局装置を介して上位装置に通知する。また、本実施の形態３において、ＨＳＤＰＡにて通信することにしたが、これに限らず、ＤＰＣＨにて通信を行う場合にも適用可能である。
【０１１３】
また、本実施の形態３において、通信端末装置を用いているユーザが送信方法を変更するか否かを判定しても良い。例えば、電池残量を液晶表示または音声によりユーザに知らせる機能と、ＨＳＤＰＡを行うかＤＰＣＨを行うかを判定するボタンとを通信端末装置に設けて、ユーザが電池残量を認識した後、電池残量が少ないときにＨＳＤＰＡからＤＰＣＨに変更するボタンを押すことで、これに連動してＨＳＤＰＡからＤＰＣＨに変更する判定結果を基地局装置に送信する。また、電池残量を液晶表示または音声によりユーザに知らせる機能と、最大送信電力を低くするか否かを判定するボタンとを通信端末装置に設けて、ユーザが電池残量を認識した後、電池残量が少ないときに最大送信電力を低くするボタンを押し、これに連動して最大送信電力を低くする判定結果を基地局装置に送信する。
【０１１４】
（実施の形態４）
図６は、本発明の実施の形態４に係る通信端末装置６００の構成を示すブロック図である。
【０１１５】
本実施の形態４に係る通信端末装置６００は、図１に示す実施の形態１に係る通信端末装置１００において、図６に示すように、送信方法判定部１０２及び送信チャネル決定部１１３を除き、最大送信電力決定部６０２を追加し、送信フレーム作成部１０３の代わりに送信フレーム作成部６０１を有し、送信無線部１０６の代わりに送信無線部６０３を有する。なお、図６においては、図１と同一構成である部分には同一の符号を付してその説明は省略する。
【０１１６】
電池残量検出部１０１は、通信端末装置６００の電池の残量を検出して検出結果を送信フレーム作成部６０１へ出力する。
【０１１７】
送信フレーム作成部６０１は、電池残量検出部１０１から入力した電池の残量の検出結果の情報と送信データから送信フレームを作成し、変調部１０４へ出力する。
【０１１８】
変調部１０４は、送信フレーム作成部６０１から入力した送信データを変調し、拡散部１０５へ出力する。
【０１１９】
拡散部１０５は、変調部１０４から入力した変調後の信号を拡散して送信無線部６０３へ出力する。
【０１２０】
復号部１１２は、復調部１１１から入力した復調後の信号を復号して最大送信電力の判定結果の情報と受信データを得て、最大送信電力の判定結果の情報を最大送信電力決定部６０２へ出力する。
【０１２１】
最大送信電力決定部６０２は、復号部１１２から入力した最大送信電力の判定結果の情報より、通信端末装置６００の最大送信電力を決定する。最大送信電力決定部６０２は、最大送信電力を低くすることを決定した場合、最大送信電力を低くする決定の情報を送信無線部６０３へ出力し、最大送信電力を高くすることを決定した場合、最大送信電力を高くする決定の情報を送信無線部６０３へ出力する。
【０１２２】
送信無線部６０３は、最大送信電力決定部６０２から最大送信電力を低くする決定の情報が入力した場合、拡散部１０５から入力した拡散後の信号に所定の無線処理を施すとともに、最大送信電力を低くした状態において所定の送信電力を設定してアンテナ共用部１０７へ出力する。また、送信無線部６０３は、最大送信電力決定部６０２から最大送信電力を高くする決定の情報が入力した場合、拡散部１０５から入力した拡散後の信号に所定の無線処理を施すとともに、最大送信電力を高くした状態において所定の送信電力を設定してアンテナ共用部１０７へ出力する。
【０１２３】
アンテナ共用部１０７は、送信無線部６０３から入力した送信信号をアンテナ１０８より送信し、アンテナ１０８にて受信した受信信号を受信無線部１０９へ出力する。
【０１２４】
次に、本発明の実施の形態４に係る基地局装置７００の構成について、図７を用いて説明する。図７は、基地局装置７００の構成を示すブロック図である。
【０１２５】
本実施の形態４に係る基地局装置７００は、図２に示す実施の形態１に係る基地局装置２００において、図７に示すように、最大送信電力判定部７０１を追加し、送信フレーム作成部２０７の代わりに送信フレーム作成部７０２を有する。なお、図７においては、図２と同一構成である部分には同一の符号を付してその説明は省略する。
【０１２６】
復号部２０６は、復調部２０５から入力した復調後の信号を復号し、電池の残量の検出結果の情報と受信データを得て、電池の残量の検出結果を最大送信電力判定部７０１へ出力する。
【０１２７】
最大送信電力判定部７０１は、通信端末装置６００から送信された電池の残量の検出結果の情報に基づいて、最大送信電力を低くするか否かを判定し、最大送信電力の判定結果を図示しない上位装置へ出力する。具体的には、最大送信電力判定部７０１は、電池の残量が所定のしきい値未満になった場合には、最大送信電力を低くする判定を行い、電池の残量が所定のしきい値以上になった場合には、最大送信電力を高くする判定を行う。
【０１２８】
送信フレーム作成部７０２は、上位装置から入力した最大送信電力の決定結果と送信データから送信フレームを作成し、変調部２０８へ出力する。
【０１２９】
変調部２０８は、送信フレーム作成部７０２から入力した送信データを変調し、拡散部２０９に出力する。
【０１３０】
このように、本実施の形態４によれば、上記実施の形態３の効果に加えて、電池の残量に応じた最大送信電力の判定を基地局装置にて行うので、通信端末装置における処理負荷を軽減することができる。
【０１３１】
なお、本実施の形態４において、基地局装置７００で判定した最大送信電力の判定結果に従って、上位装置が最大送信電力を低くするか否かを最終的に決定しているが、これに限らず、基地局装置７００が最大送信電力を低くするか否かを最終的に決定してもよい。この場合、基地局装置は最大送信電力の決定結果の情報を上位装置に通知し、通信端末装置に送信する。また、本実施の形態４において、通信端末装置６００から送信された電池残量の情報から基地局装置７００が最大送信電力を低くするか否かを判定しているが、これに限らず、基地局装置７００が通信端末装置６００から受け取った電池残量の情報を上位装置に出力し、上位装置が最大送信電力を低くするか否かを判定した後に、最大送信電力を低くするか否かを最終的に決定してもよい。
【０１３２】
（実施の形態５）
図８は、本発明の実施の形態５に係る通信端末装置８００の構成を示すブロック図である。
【０１３３】
本実施の形態５に係る通信端末装置８００は、図１に示す実施の形態１に係る通信端末装置１００において、図８に示すように、送信方法判定部１０２及び送信チャネル決定部１１３を除き、送信頻度判定部８０１及び送信頻度決定部８０３を追加し、送信フレーム作成部１０３の代わりに送信フレーム作成部８０２を有する。なお、図８においては、図１と同一構成である部分には同一の符号を付してその説明は省略する。また、基地局装置は、送信方法の判定結果の情報を受信する代わりに送信頻度の判定結果の情報を受信する構成及び送信方法の決定結果の情報を送信する代わりに送信頻度の決定結果の情報を送信する構成以外は図２と同一構成であるので、その説明は省略する。
【０１３４】
電池残量検出部１０１は、通信端末装置８００の電池の残量を検出して検出結果を送信頻度判定部８０１へ出力する。
【０１３５】
送信頻度判定部８０１は、電池残量検出部１０１から入力した電池の残量の検出結果の情報に基づいて、ＨＳ−ＤＰＣＣＨの送信頻度を少なくするか否かを判定し、送信頻度の判定結果の情報を送信フレーム作成部８０２へ出力する。具体的には、送信頻度判定部８０１は、電池の残量が所定のしきい値以下になった場合には、ＡＣＫ／ＮＡＣＫ信号等のパケットデータを受信できたか否かを示す信号、復調可能なパケットデータの変調方式及び符号化率を示す信号またはＣＱＩ等の伝送品質を示す信号を含むＨＳ−ＤＰＣＣＨの送信頻度を少なくする判定を行い、電池の残量が所定のしきい値以上になった場合には、ＨＳ−ＤＰＣＣＨの送信頻度を多くする判定を行う。
【０１３６】
ここで、ＨＳ−ＤＰＣＣＨの送信頻度を少なくするには、例えば、基地局装置が通信端末装置にＨＳ−ＰＤＳＣＨの割り当てを少なくすることにより、通信端末装置が送信するＡＣＫ／ＮＡＣＫ信号の送信頻度を少なくする方法、ＣＱＩ信号の報告周期を長くすることにより、通信端末装置が送信するＣＱＩ信号の送信頻度を少なくする方法、またはこれらの両方の方法を用いる。
【０１３７】
送信フレーム作成部８０２は、送信頻度判定部８０１から入力した送信頻度の判定結果の情報と送信データから送信フレームを作成し、変調部１０４に出力する。また、送信フレーム作成部８０２は、送信頻度決定部８０３よりＨＳ−ＤＰＣＣＨの送信頻度を少なくする決定結果の情報が入力した場合、少ない送信頻度でＨＳ−ＤＰＣＣＨの送信フレームを作成して変調部１０４へ出力する。また、送信フレーム作成部８０２は、送信頻度決定部８０３よりＨＳ−ＤＰＣＣＨの送信頻度を多くする決定結果の情報が入力した場合、多い送信頻度でＨＳ−ＤＰＣＣＨの送信フレームを作成して変調部１０４に出力する。
【０１３８】
変調部１０４は、送信フレーム作成部８０２から入力した送信データを変調し、拡散部１０５へ出力する。
【０１３９】
拡散部１０５は、変調部１０４から入力した変調後の信号を拡散して送信無線部１０６へ出力する。
【０１４０】
復号部１１２は、復調部１１１から入力した復調後の信号を復号し、送信頻度の決定結果の情報と受信データを得て、送信頻度の決定結果の情報を送信頻度決定部８０３に出力する。
【０１４１】
送信頻度決定部８０３は、復号部１１２から入力した送信頻度の決定結果の情報より、ＨＳ−ＤＰＣＣＨの送信頻度を決定する。具体的には、送信頻度決定部８０３は、ＨＳ−ＤＰＣＣＨの送信頻度を少なくする決定結果の情報が入力した場合、ＨＳ−ＤＰＣＣＨの送信頻度を少なくする決定の情報を送信フレーム作成部８０２に出力する。また、送信頻度決定部８０３は、ＨＳ−ＤＰＣＣＨの送信頻度を多くする決定結果の情報が入力した場合、ＨＳ−ＤＰＣＣＨの送信頻度を多くする決定の情報を送信フレーム作成部８０２へ出力する。
【０１４２】
このように、本実施の形態５によれば、電池残量が少ない場合には、ＨＳ−ＤＰＣＣＨの送信頻度を少なくして送信することにより送信電力全体を小さくすることができるので、電池残量が少ない場合に消費電流を少なくすることができるとともに、送信データ量を減らさずに電池を長持ちさせることができる。また、本実施の形態５によれば、電池の残量が少ない場合においてもＨＳＤＰＡを用いることができるので、高いスループットを得ることができる。また、本実施の形態５によれば、電池の残量がしきい値未満になった場合には、ＣＱＩまたはＡＣＫ／ＮＡＣＫ信号を送信するチャネルであるＨＳ−ＤＰＣＣＨの送信信号の送信頻度を少なくし、データを送信するＨＳ−ＤＰＣＣＨ以外のチャネルの送信信号の送信頻度は少なくしないので、所定の時間におけるデータの伝送量は維持したままで消費電力を小さくすることができる。また、本実施の形態５によれば、通信端末装置の電池残量に基づいてＨＳ−ＤＰＣＣＨの送信頻度を少なくした後、電池の充電等により電池残量が多くなった場合、ＨＳ−ＤＰＣＣＨの送信頻度を元に戻して送信することによりＨＳ−ＰＤＳＣＨの割り当てが多くなり、大容量のデータを送信することができるので、システムのスループットを向上させることができる。さらに、ＣＱＩ信号の報告周期が短くなるため、ＣＱＩ信号により報告される下りの電波伝搬環境が基地局装置に正確に伝わり、最適なスケジューリングによりデータを送信することができ、システムのスループットを向上させることができる。
【０１４３】
なお、本実施の形態５において、電池残量に応じてＨＳ−ＤＰＣＣＨの送信頻度を変更することとしたが、これに限らず、ＨＳ−ＤＰＣＣＨ以外のチャネルの送信頻度を変更するようにしても良い。また、本実施の形態５において、基地局装置を介して通信端末装置８００から送信された送信頻度の判定結果の情報から、上位装置がＨＳ−ＤＰＣＣＨの送信頻度を少なくするか否かを最終的に決定しているが、これに限らず、基地局装置や通信端末装置がＨＳ−ＤＰＣＣＨの送信頻度を少なくするか否かを最終的に決定してもよい。基地局装置が送信頻度を最終的に決定する場合、基地局装置は送信頻度の決定結果の情報を上位装置に通知し、通信端末装置に送信する。また、通信端末装置が送信頻度を最終的に決定する場合、通信端末装置は送信頻度の決定結果の情報を基地局装置に送信し、基地局装置を介して上位装置に通知する。例えば、基地局装置がＣＱＩ信号の報告周期を長くすることを決定し、決定結果を上位装置に通知し、通信端末装置に送信する。また、通信端末装置がＣＱＩ信号の報告周期を長くすることを決定し、決定結果を基地局装置に送信し、基地局装置を介して上位装置に通知する。
【０１４４】
また、本実施の形態５において、ＨＳ−ＰＤＳＣＨの割り当てを少なくする決定がされた場合、基地局装置はスケジューリングによって通信端末装置にＨＳ−ＰＤＳＣＨの割り当てを少なくするようにしても良い。また、本実施の形態５において、通信端末装置を用いているユーザが送信方法を変更するか否かを判定してもよい。例えば、電池残量を液晶表示または音声によりユーザに知らせる機能と、ＨＳＤＰＡを行うかまたはＤＰＣＨを行うかを判定するボタンとを通信端末装置に設けて、ユーザが電池残量を認識した後、電池残量が少ないときにＨＳＤＰＡからＤＰＣＨに変更するボタンを押すことで、これに連動してＨＳＤＰＡからＤＰＣＨに変更する判定結果を基地局装置に送信する。また、電池残量を液晶表示または音声によりユーザに知らせる機能と、ＨＳ−ＤＰＣＣＨの送信頻度を少なくするかを判定するボタンとを通信端末装置に設けて、ユーザが電池残量を認識した後、電池残量が少ないときにＨＳ−ＤＰＣＣＨの送信頻度を少なくするボタンを押し、これに連動してＨＳ−ＤＰＣＣＨの送信頻度を少なくする判定結果を基地局装置に送信する。
【０１４５】
（実施の形態６）
図９は、本発明の実施の形態６に係る通信端末装置９００の構成を示すブロック図である。
【０１４６】
本実施の形態６に係る通信端末装置９００は、図１に示す実施の形態１に係る通信端末装置１００において、図９に示すように、送信方法判定部１０２及び送信チャネル決定部１１３を除き、送信頻度決定部９０２を追加し、送信フレーム作成部１０３の代わりに送信フレーム作成部９０１を有する。なお、図９においては、図１と同一構成である部分には同一の符号を付してその説明は省略する。
【０１４７】
電池残量検出部１０１は、通信端末装置９００の電池の残量を検出して検出結果の情報を送信フレーム作成部９０１へ出力する。
【０１４８】
送信フレーム作成部９０１は、電池残量検出部１０１から入力した電池の残量の検出結果の情報と送信データから送信フレームを作成し、変調部１０４に出力する。また、送信フレーム作成部９０１は、送信頻度決定部９０２よりＨＳ−ＤＰＣＣＨの送信頻度を少なくする決定結果の情報が入力した場合、少ない送信頻度でＨＳ−ＤＰＣＣＨの送信フレームを作成して変調部１０４へ出力する。また、送信フレーム作成部９０１は、送信頻度決定部９０２よりＨＳ−ＤＰＣＣＨの送信頻度を多くする決定結果の情報が入力した場合、多い送信頻度でＨＳ−ＤＰＣＣＨの送信フレームを作成して変調部１０４に出力する。
【０１４９】
変調部１０４は、送信フレーム作成部９０１から入力した送信データを変調し、拡散部１０５へ出力する。
【０１５０】
拡散部１０５は、変調部１０４から入力した変調後の信号を拡散して送信無線部１０６へ出力する。
【０１５１】
復号部１１２は、復調部１１１から入力した復調後の信号を復号し、送信頻度の決定結果の情報と受信データを得て、送信頻度の決定結果の情報を送信頻度決定部９０２へ出力する。
【０１５２】
送信頻度決定部９０２は、復号部１１２から入力した送信頻度の決定結果の情報より、ＨＳ−ＤＰＣＣＨの送信頻度を決定する。具体的には、送信頻度決定部９０２は、ＨＳ−ＤＰＣＣＨの送信頻度を少なくする決定結果の情報が入力した場合、ＨＳ−ＤＰＣＣＨの送信頻度を少なくする決定の情報を送信フレーム作成部９０１へ出力する。また、送信頻度決定部９０２は、ＨＳ−ＤＰＣＣＨの送信頻度を多くする決定結果の情報が入力した場合、ＨＳ−ＤＰＣＣＨの送信頻度を多くする決定の情報を送信フレーム作成部９０１へ出力する。
【０１５３】
次に、本発明の実施の形態６に係る基地局装置１０００の構成について、図１０を用いて説明する。図１０は、基地局装置１０００の構成を示すブロック図である。
【０１５４】
本実施の形態６に係る基地局装置１０００は、図２に示す実施の形態１に係る基地局装置２００において、図１０に示すように、送信頻度判定部１００１を追加し、送信フレーム作成部２０７の代わりに送信フレーム作成部１００２を有する。なお、図１０においては、図２と同一構成である部分には同一の符号を付してその説明は省略する。
【０１５５】
復号部２０６は、復調部２０５から入力した復調後の信号を復号し、電池の残量の検出結果の情報と受信データを得て、電池の残量の検出結果を送信頻度判定部１００１へ出力する。
【０１５６】
送信頻度判定部１００１は、通信端末装置９００から送信された電池の残量の検出結果の情報に基づいて、送信頻度を少なくするか否かを判定し、送信頻度の判定結果の情報を図示しない上位装置へ出力する。具体的には、送信頻度判定部１００１は、電池の残量が所定のしきい値以下になった場合には、送信頻度を少なくする判定を行い、電池の残量が所定のしきい値以上になった場合には、送信頻度を多くする判定を行う。
【０１５７】
送信フレーム作成部１００２は、上位装置から入力した送信頻度の決定結果の情報と送信データから送信フレームを作成し、変調部２０８へ出力する。
【０１５８】
変調部２０８は、送信フレーム作成部１００２から入力した送信データを変調し、拡散部２０９に出力する。
【０１５９】
このように、本実施の形態６によれば、上記実施の形態５の効果に加えて、電池の残量に応じた送信頻度の判定を基地局装置にて行うので、通信端末装置における処理負荷を軽減することができる。
【０１６０】
なお、本実施の形態６において、電池残量に応じてＨＳ−ＤＰＣＣＨの送信頻度を変更することとしたが、これに限らず、ＨＳ−ＤＰＣＣＨ以外のチャネルの送信頻度を変更するようにしても良い。
【０１６１】
また、本実施の形態６において、基地局装置１０００で判定した送信頻度の判定結果に従って、上位装置がＨＳ−ＤＰＣＣＨの送信頻度を少なくするか否かを最終的に決定しているが、これに限らず、基地局装置がＨＳ−ＤＰＣＣＨの送信頻度を少なくするか否かを最終的に決定してもよい。この場合、基地局装置は送信頻度の決定結果の情報を上位装置に通知し、通信端末装置に送信する。また、本実施の形態６において、通信端末装置９００から送信された電池残量の情報から基地局装置１０００がＨＳ−ＤＰＣＣＨの送信頻度を少なくするか否かを判定しているが、これに限らず、基地局装置が通信端末装置から受け取った電池残量の情報を上位装置に出力し、上位装置がＨＳ−ＤＰＣＣＨの送信頻度を少なくするか否かを判定した後に、上位装置がＨＳ−ＤＰＣＣＨの送信頻度を少なくするか否かを最終的に決定しても良い。
【０１６２】
上記実施の形態１〜実施の形態６において、同一タイムスロットで複数の通信端末装置にパケットをコード多重するＨＳＤＰＡを用いてパケットを伝送する例について説明しているが、これに限らず、複数の通信端末装置宛にパケットを多重化してスケジューリングを行う通信であれば、いずれにも適用できる。例えば、複数の通信端末装置にパケットをコード多重、時間多重、または周波数多重してスケジューリングを行う通信であれば、いずれにも適用できる。時間多重の場合、あるフレーム単位の中の複数のタイムスロットでスケジューリングを行う。周波数多重の場合、同一タイムスロットで各周波数毎にスケジューリングを行う。
【産業上の利用可能性】
【０１６３】
本発明にかかる通信端末装置及び基地局装置は、電池残量が少ない場合に消費電流を少なくすることができるとともに、送信データ量を減らさずに電池を長持ちさせる効果を有し、電池の残量に応じて送信を制御するのに有用である。
【図面の簡単な説明】
【０１６４】
【図１】本発明の実施の形態１に係る通信端末装置の構成を示すブロック図
【図２】本発明の実施の形態１に係る基地局装置の構成を示すブロック図
【図３】本発明の実施の形態２に係る通信端末装置の構成を示すブロック図
【図４】本発明の実施の形態２に係る基地局装置の構成を示すブロック図
【図５】本発明の実施の形態３に係る通信端末装置の構成を示すブロック図
【図６】本発明の実施の形態４に係る通信端末装置の構成を示すブロック図
【図７】本発明の実施の形態４に係る基地局装置の構成を示すブロック図
【図８】本発明の実施の形態５に係る通信端末装置の構成を示すブロック図
【図９】本発明の実施の形態６に係る通信端末装置の構成を示すブロック図
【図１０】本発明の実施の形態６に係る基地局装置の構成を示すブロック図
【符号の説明】
【０１６５】
１００  通信端末装置
１０１  電池残量検出部
１０２  送信方法判定部
１０３  送信フレーム作成部
１０４  変調部
１０５  拡散部
１０６  送信無線部
１０７  アンテナ共用部
１０９  受信無線部
１１０  逆拡散部
１１１  復調部
１１２  復号部
１１３  送信チャネル決定部
【図１】
2005341176.tif 000003
【図２】
2005341176.tif 000004
【図３】
2005341176.tif 000005
【図４】
2005341176.tif 000006
【図５】
2005341176.tif 000007
【図６】
2005341176.tif 000008
【図７】
2005341176.tif 000009
【図８】
2005341176.tif 000010
【図９】
2005341176.tif 000011
【図１０】
2005341176.tif 000012